(57)【要約】【課題】  本発明は支持板、透光フレーム、キー、キーと透光フレームの間に位置する光源と薄膜スイッチ回路を提供する。【解決手段】  透光フレームは支持板上に設置され、発光キーボードの構造をさらに堅固にする。光源が発するビームは透光フレームへ進入し支持板で反射され透光フレーム、薄膜スイッチ回路およびキーへと進入しキーを発光させる。【選択図】図４
2012079278.tif 000002
【特許請求の範囲】
【請求項１】
発光キーボードであって、
支持板と、
支持板上に設置される透光フレームと、
前記透光フレームに接続され、透光エリアを有する少なくとも一つのキーと
前記キーと前記支持板の間に位置し、ビームを発生させる光源を含み、ここでは前記ビームは前記支持板、前記透光フレーム及び前記キーの前記透光エリアを順に透過することを特徴とする、発光キーボード。
【請求項２】
前記透光フレームと前記キーの間に設置される薄膜スイッチ回路をさらに含み、前記薄膜スイッチ回路は、
少なくとも一つの上部接続点を有する上部プリント基板と、
前記上部プリント基板の下方に位置し、前記上部接続点に対応する隔離層開口部を有する隔離層と、
前記隔離層の下方に位置し、前記上部接続点に対応する下部接続点を有する下部プリント基板を含むことを特徴とする、請求項１に記載の発光キーボード。
【請求項３】
前記薄膜スイッチ回路と前記透光フレームの間に位置し、前記ビームを案内するための導光フィルムをさらに含み、前記ビームが前記支持板、前記導光フィルム、前記透光フレーム、前記薄膜スイッチ回路及び前記キーの前記透光エリアを順に透過することを特徴とする、請求項２に記載の発光キーボード。
【請求項４】
前記キーは、
前記発光キーボードの表面に露呈され、前記透光エリアはその上に位置されるキーキャップと
前記透光フレームと前記キーキャップの間に位置し、前記透光フレームと前記キーキャップを接続させ、また前記キーキャップを前記透光フレームに対向させ上下移動させるはさみ型接合部材と、
前記薄膜スイッチ回路と前記キーキャップの間に位置し、前記キーキャップが押された時、それは圧縮され前記薄膜スイッチ回路に接触し前記信号を出力させ、また前記キーキャップが触圧から解放された時、それは前記キーキャップに対し弾力を発生し前記キーキャップを復位させる弾性要素を含むことを特徴とする、請求項２に記載の発光キーボード。
【請求項５】
前記キーキャップはキーキャップ固定槽とキーキャップスライド槽を有し、前記透光フレームは第一フレーム固定構造と第二フレーム固定構造を有し、また前記第一フレーム固定構造、前記第二フレーム固定構造と前記透光フレームは一体成型となり、前記はさみ型接合部材は第一フレームと第二フレームからなり、前記第一フレームの第一端は前記第二フレーム固定構造に接続され、前記第一フレームの第二端は前記キーキャップ固定槽に接続され、前記第二フレームの第一端は前記第一フレーム固定構造に接続され、前記第二フレームの第二端は前記キーキャップスライド槽に接続されることを特徴とする、請求項４に記載の発光キーボード。
【請求項６】
前記光源は発光ダイオード（Ｌｉｇｈｔ  Ｅｍｉｔｔｅｒ  Ｄｉｏｄｅ、ＬＥＤ）であることを特徴とする、請求項１に記載の発光キーボード。
【請求項７】
発光キーボードの前記支持板は金属により製造されることを特徴とする、請求項１に記載の発光キーボード。
【請求項８】
前記透光フレームは透明素材により製造されることを特徴とする、請求項１に記載の発光キーボード。
【発明の詳細な説明】
【技術分野】
【０００１】
本発明は、キーボードに関し、より詳しくは、発光機能を有する発光キーボードに関する。
【背景技術】
【０００２】
一般的に、パソコン周辺機器の入力装置はマウス、キーボード及びトラックボール等で、ここではキーボードは直接文字と記号をパソコンに入力出来る。このためユーザーや入力装置メーカーから相当に重視されている。次に従来のキーボードの構造と機能を説明する。図１は、従来のキーボードの外観構造の概略図である。従来のキーボード１は表面上に複数個のキーを有し、これらのキーは標準タイプキー１０、テンキー１１及びファンクションキー１２等に分類される。これらのキーはユーザーに指で押されることで対応する信号を発信させコンピューターに送信し、コンピューターに押されたキーの機能を実行させる。例えば標準タイプキー１０は英字等の記号を入力するために用い、テンキー１１は数字を入力するために用い、ファンクションキー１２は例えばＦ１〜Ｆ１２等にある、各種機能を提供する。
【０００３】
科学技術の進歩に伴い、キーボードメーカーは各種特殊な機能を有するキーボードの研究開発に注力し異なるユーザーの各種需要を満足させてきた。発光機能を有する発光キーボードを例にとり説明すると、図２は、従来の発光キーボードの構造を側面から見た概略図である。発光キーボード２はキー２０と、金属底板２１と、薄膜スイッチ回路２２と、光源２３及び導光板２４で構成される。キー２０はキーキャップ２０１と、はさみ型接合部材２０２及び弾性要素２０３で構成される。発光キーボード２の中の、上記各部品は上から下にかけてキーキャップ２０１、はさみ型接合部材２０２、弾性要素２０３、薄膜スイッチ回路２２、金属底板２１及び導光板２４の順に配列されており、光源２３は導光板２４の側面に位置している。光源２３はフレキシブルプリント基板（Ｆｌｅｘｉｂｌｅ  Ｐｒｉｎｔｅｄ  Ｃｉｒｃｕｉｔ，ＦＰＣ）２５により発光キーボード２のプリント基板（図示せず）に接続され、またフレキシブルプリント基板２５により電力を獲得し、光源２３によりビームＢを発生させ、ここでは光源２３は発光ダイオード（Ｌｉｇｈｔ  Ｅｍｉｔｔｅｒ  Ｄｉｏｄｅ，ＬＥＤ）であり、また弾性要素２０３は透光ゴムである。
【０００４】
図２に示す、導光板２４によりビームＢは案内され、ビームＢはキーボード全体に拡散され、またビームＢの進行方向は変更されビームＢは上方向へ進行する。薄膜スイッチ回路２２は金属底板２１上に設置され、また金属底板２１は第一固定構造２１１と、第二固定構造２１２及び二つの空洞部２１３を有し、空洞部２１３が弾性要素２０３に貫通されることで弾性要素２０３は薄膜スイッチ回路２２と接触する。キーキャップ２０１は第一キーキャップ固定構造２０１１と、第二キーキャップ固定構造２０１２及び透光エリア２０１３からなり、またはさみ型接合部材２０２は第一フレーム２０２１と第二フレーム２０２２からなる。第一フレーム２０２１の第一端２０２１Ａは第二固定構造２１２に接続され、第一フレーム２０２１の第二端２０２１Ｂは第一キーキャップ固定構造２０１１に接続され、第二フレーム２０２２の第一端２０２２Ａは第一固定構造２１１に接続され、また第二フレーム２０２２の第二端２０２２Ｂは第二キーキャップ固定構造２０１２に接続される。
【０００５】
図２に示すキー２が押され金属底板２１に対向し下方に移動した時、はさみ型接合部材２０２の第一フレーム２０２１と第二フレーム２０２２は開いた状態から折り畳まれた状態に変化し、また下方に移動したキーキャップ２０１は弾性要素２０３を抑圧し、弾性要素２０３を薄膜スイッチ回路２２に接触させキー２０に対応するキー信号を発信させる。またキー２０が触圧から解放された時、弾性要素２０３はキーキャップ２０１に対し弾力を発生させキーキャップ２０１を金属底板２１に対し上方に移動させ、また第一フレーム２０２１と第二フレーム２０２２は折り畳まれた状態から開いた状態に変化しキーキャップ２０１を復位させる。光源２３がビームＢを発する時、ビームＢは導光板２４に進入し、導光板２４はビームＢの方向を変え、ビームＢは部分的に金属底板２１で塞がれ、残りのビームＢは空洞部２１３を透過し薄膜スイッチ回路２２に進入する。そして、ビームＢは薄膜スイッチ回路２２、弾性要素２０３及びキーキャップ２０１上の透光エリア２０１３の順に透過し、キー２０を発光させる。然しながら、従来の発光キーボードは運用時に、金属底板２１の下方に位置する光源２３の発するビームＢの大部分が金属底板２１により塞がれ、これにより従来の発光キーボードが発生させる光量の明度が不均一であるといった現象があった。
【発明の概要】
【発明が解決しようとする課題】
【０００６】
本発明は、このような従来の問題に鑑みてなされたものである。上記課題解決のため、本発明は、光量の明度が均一化された発光キーボードを提供することを主目的とする。
【課題を解決するための手段】
【０００７】
本発明の好ましい実施形態において、発光キーボードであって、
支持板と、
前記支持板上に設置される透光フレームと、
前記透光フレームに接続され、透光エリアを有する、少なくとも一つのキーと、
前記キーと前記支持板の間に位置し、ビームを発生させる光源を含み、ここでは前記ビームは前記支持板、前記透光フレーム及び前記キーの前記透光エリアを順に透過することを特徴とする、発光キーボード。
【０００８】
本発明の好ましい実施形態においては、前記透光フレームと前記キーの間に設置される薄膜スイッチ回路をさらに含み、前記薄膜スイッチ回路は、
少なくとも一つの上部接続点上部を有するプリント基板と、
前記上部プリント基板の下方に位置し、前記上部接続点に対応する隔離層開口部を有する隔離層と、
前記隔離層の下方に位置し、前記上部接続点に対応する下部接続点を有する下部プリント基板を含むことを特徴とする、発光キーボード。
【０００９】
本発明の好ましい実施形態においては、前記薄膜スイッチ回路と前記透光フレームの間に位置し、前記ビームを案内するための導光フィルムをさらに含み、前記ビームは前記支持板、導光フィルム、前記透光フレーム、前記薄膜スイッチ回路及び前記キーの前記透光エリアの順に透過することを特徴とする、発光キーボード。
【００１０】
本発明の好ましい実施形態においては、前記キーは、
前記発光キーボードの表面に露呈され、前記透光エリアはその上に位置されるキーキャップと、
前記透光フレームと前記キーキャップの間に位置し、前記透光フレームと前記キーキャップを接続させ、また前記キーキャップを前記透光フレームに対向させ上下移動させるはさみ型接合部材と、
前記薄膜スイッチ回路と前記キーキャップの間に位置し、前記キーキャップが押された時、それは圧縮され前記薄膜スイッチ回路に接触し前記信号を出力させ、また前記キーキャップが触圧から解放された時、それは前記キーキャップに対し弾力を発生し、前記キーキャップを復位させる弾性要素を含むことを特徴とする、発光キーボード。
【００１１】
本発明の好ましい実施形態においては、前記キーキャップはキーキャップ固定槽とキーキャップスライド槽を有し、前記透光フレームは第一フレーム固定構造と第二フレーム固定構造を有し、また前記第一フレーム固定構造と、前記第二フレーム固定構造と前記透光フレームは一体成型となり、前記はさみ型接合部材は第一フレームと一第二フレームからなり、前記第一フレームの第一端は前記第二フレーム固定構造に接続され、前記第一フレームの第二端は前記キーキャップ固定槽に接続され、前記第二フレームの第一端は前記第一フレーム固定構造に接続され、前記第二フレームの第二端は前記キーキャップスライド槽に接続されることを特徴とする、発光キーボード。
【００１２】
本発明の好ましい実施形態においては、前記光源は発光ダイオードであることを特徴とする、発光キーボード。
【００１３】
本発明の好ましい実施形態においては、前記支持板は金属により製造されることを特徴とする、発光キーボード。
【００１４】
本発明の好ましい実施形態においては、前記透光フレームは透明素材により製造されることを特徴とする、発光キーボード。
【図面の簡単な説明】
【００１５】
【図１】従来のキーボードの外観構造の概略図である。
【図２】従来の発光キーボードの構造を側面から見た概略図である。
【図３】本発明に係る好ましい第１実施形態における発光キーボードの構造の概略図である。
【図４】本発明に係る好ましい第１実施形態における発光キーボードの部分構造の分解図である。
【図５】本発明に係る好ましい第１実施形態における発光キーボードの部分構造を側面から見た概略図である。
【図６】本発明に係る好ましい第２実施形態における発光キーボードの部分構造の分解図である。
【図７】本発明に係る好ましい第２実施形態における発光キーボードの部分構造を側面から見た概略図である。
【発明を実施するための形態】
【００１６】
以下に図面を参照して本発明を実施するための形態について、詳細に説明する。なお、本発明は、以下に説明する実施形態に限定されるものではない。
【００１７】
図３は本発明に係る好ましい第１実施形態における発光キーボードの構造の概略図である。発光キーボード３は支持板３０と、透光フレーム３１と、複数個のキー３２と、列になる光源３３（図示するのは一つのみ）と薄膜スイッチ回路３４で構成される。複数個のキー３２は薄膜スイッチ回路３４上に設置され、薄膜スイッチ回路３４は透光フレーム３１上に設置され、透光フレーム３１は支持板３０上に設置される。この好ましい実施形態における、光源３３は発光ダイオード（Ｌｉｇｈｔ  Ｅｍｉｔｔｅｒ  Ｄｉｏｄｅ、ＬＥＤ）であり、また光源３３は一対一でキー３２に対応するのではなく、発光キーボード３全体については、列になる光源３３が発生させるビームが全てのキー３２に発光機能を提供する。
【００１８】
次に発光キーボード３の細部構造について説明する。図３に示す単一のキー３２を例に説明する。図４は、本発明に係る好ましい第１実施形態における発光キーボードの部分構造の分解図である。図４は支持板３０と、透光フレーム３１と、キー３２と、光源３３及び薄膜スイッチ回路３４を図示している。透光フレーム３１は第一フレーム固定構造３１１と第二フレーム固定構造３１２を有し、また第一フレーム固定構造３１１と、第二フレーム固定構造３１２及び透光フレーム３１は一体成型となり、ここでは透光フレーム３１は透明素材で製造され、これにより透光フレーム３１は光を透過する機能を有する。キー３２はキーキャップ３２１と、はさみ型接合部材３２２と弾性要素３２３からなり、キーキャップ３２１はキーキャップ３２１の表面上に位置する透光エリア３２１１を有し、はさみ型接合部材３２２は第一フレーム３２２１と第二フレーム３２２２からなり、この好ましい実施形態における、弾性要素３２３は透光ゴムで製造される。
【００１９】
光源３３は透光フレーム３１とキー３２の間に位置し、また光源３３によりビームＢ’（図５に図示する）を発生させ、支持板３０によりビームＢ’は反射される。この好ましい実施形態における、支持板３０は金属で製造され、また金属で製造された支持板３０は良好な光の反射性を有する。薄膜スイッチ回路３４は透光フレーム３１とキー３２の間に位置し、また薄膜スイッチ回路３４は上部プリント基板３４１と、隔離層３４２及び下部プリント基板３４３からなる。上部プリント基板３４１は少なくとも一つの上部接続点３４１１を有し、隔離層３４２は隔離層開口部３４２１を有する。下部プリント基板３４３は上部接続点３４１１に対応する下部接続点３４３１を有する。薄膜スイッチ回路３４が押された時、上部接続点３４１１は層開口部３４２１に進入して下部接続点３４３１と接触し上部接続点３４１１と下部接続点３４３１間の電気的接続を確立させる。
【００２０】
図５は本発明に係る好ましい第１実施形態における発光キーボードの部分構造を側面から見た概略図である。発光キーボード３における、透光フレーム３１は支持板３０上に設置され、光源３３は透光フレーム３１と薄膜スイッチ回路３４の間に設置され、また薄膜スイッチ回路３４は光源３３の上方に位置され、ここでは上部プリント基板３４１は隔離層３４２上に折り畳まれて設置され、隔離層３４２は下部プリント基板３４３上に折り畳まれて設置される。弾性要素３２３は薄膜スイッチ回路３４上に設置され、またキーキャップ３２１は弾性要素３２３上に設置される。はさみ型接合部材３２２は透光フレーム３１とキーキャップ３２１の間に位置し、これにより透光フレーム３１とキーキャップ３２１は接続されキーキャップ３２１を透光フレーム３１に対向させて上下移動させ、ここでははさみ型接合部材３２２の第一フレーム３２２１の第一端３２２１Ａは第二フレーム固定構造３１２に接続され、第一フレーム３２２１の第二端３２２１Ｂはキーキャップ固定槽３２１２に接続され、はさみ型接合部材３２２の第二フレーム３２２２の第一端３２２２Ａはキーキャップスライド槽３２１３に接続され、第二フレーム３２２２の第二端３２２２Ｂは第一フレーム固定構造３１１に接続される。
【００２１】
キー３２が押され透光フレーム３１に対向し下方に移動した時、はさみ型接合部材３２２の第一フレーム３２２１と第二フレーム３２２２は開いた状態から折り畳まれた状態に変化し、また下方へ移動したキーキャップ３２１は弾性要素３２３を抑圧し、弾性要素３２３を薄膜スイッチ回路３４に接触させキー３２に対応するキー信号を発信させる。キー３２が触圧から解放された時、弾性要素３２３はキーキャップ３２１に対し弾力を発生させ、キーキャップ３２１を透光フレーム３１に対向させ上方に移動させ、また第一フレーム３２２１と第二フレーム３２２２は折り畳まれた状態から開いた状態に変化しキーキャップ３２１を復位させる。光源３３がビームＢ’を発生させた時、ビームＢ’の一部分は下方へ投射され透光フレーム３１に進入し、透光フレーム３１内部を進行し、次にビームＢ’は透光フレーム３１を透過し支持板３０により反射され進行方向を変更させられ、ビームＢ’は再度透光フレーム３１を透過し薄膜スイッチ回路３４に進入する。薄膜スイッチ回路３４を透過したビームＢ’は弾性要素３２３も透過しキーキャップ３２１に投射され、ビームＢ’はキーキャップ３２１上の透光エリア３２１１の位置に透過され、これにより発光キーボード３は発光できる。上記のとおり、透光フレーム３１と薄膜スイッチ回路３４の間に位置する光源３３の発するビームＢ’の進行経路は順に下方の透光フレーム３１へ進入し、支持板３０により反射され、上方の透光フレーム３１と、薄膜スイッチ回路３４とキー３２の透光エリア３２１１を順に進入する。
【００２２】
ちなみに、キーキャップ３２１上の透光エリア３２１１はキーキャップ３２１の表面に有する字或いは記号の部分で、例えばＡのキー上ではＡの字の部分である。上記の構造によりビームＢ’は透光エリア３２１１を透過でき、キー３２上の字或いは記号を発光させることが可能になる。
【００２３】
また、本発明はさらに好ましい第２実施形態における発光キーボードを提供する。図６は本発明に係る好ましい第２実施形態における発光キーボードの部分構造の分解図である。発光キーボード４は支持板４０と、透光フレーム４１と、少なくとも一つのキー４２（単一のキーを例に説明する）と、光源４３と、薄膜スイッチ回路４４及び導光フィルム４５で構成される。透光フレーム４１は第一フレーム固定構造４１１と第二フレーム固定構造４１２を有し、また第一フレーム固定構造４１１と、第二フレーム固定構造４１２と透光フレーム４１は一体成型となり、ここでは透光フレーム４１は透明素材で製造され、これにより透光フレーム４１は光を塞がず透過させる機能を有することができる。キー４２はキーキャップ４２１と、はさみ型接合部材４２２と弾性要素４２３からなり、キーキャップ４２１はキーキャップ４２１の表面上に位置する透光エリア４２１１を有し、はさみ型接合部材４２２は第一フレーム４２２１と第二フレーム４２２２からなる。
【００２４】
光源４３については、ビームＢ’（図７に図示する）を発生させ、好ましい実施形態においては、光源４３は発光ダイオードであり、支持板４０によりビームＢ’は反射される。薄膜スイッチ回路４４は上部プリント基板４４１と、隔離層４４２と下部プリント基板４４３で構成される。上部プリント基板４４１は少なくとも一つの上部接続点４４１１を有し、隔離層４４２は隔離層開口部４４２１を有する。下部プリント基板４４３は上部接続点４４１１に対応する下部接続点４４３１を有する。導光フィルム４５によりビームＢ’は案内され、ビームＢ’はその他のキー４２の下方の透光フレーム４１に拡散されるか、或いはビームＢ’は進行方向を変更させられる。
【００２５】
図７は本発明に係る好ましい第二実施形態における発光キーボードの部分構造を側面から見た概略図である。発光キーボード４の、透光フレーム４１は支持板４０上に設置され、また薄膜スイッチ回路４４は透光フレーム４１上に設置される。光源４３は透光フレーム４１と薄膜スイッチ回路４４の間に設置され、導光フィルム４５は支持板４０と透光フレーム４１の間に位置する。薄膜スイッチ回路４４の、上部プリント基板４４１は隔離層４４２上に折り畳まれて設置され、隔離層４４２は下部プリント基板４４３上に折り畳まれて設置される。キーキャップ４２１は弾性要素４２３上に設置され、弾性要素４２３は薄膜スイッチ回路４４上に設置され、またキーキャップ４２１が押され弾性要素４２３を圧縮した時、弾性要素４２３はこれの下方にある薄膜スイッチ回路４４に接触する。はさみ型接合部材４２２は透光フレーム４１とキーキャップ４２１の間に位置され、これにより透光フレーム４１とキーキャップ４２１は接続されキーキャップ４２１は透光フレーム４１に対向して上下移動する。はさみ型接合部材４２２の第一フレーム４２２１及び第二フレーム４２２２と、透光フレーム４１及びキーキャップ４２１の間の接続関係は好ましい第１実施形態におけるものと完全に同じで再度詳述する必要はない。
【００２６】
キー４２が押され透光フレーム４１に対向し下方に移動した時、はさみ型接合部材４２２の第一フレーム４２２１と第二フレーム４２２２は開いた状態から折り畳まれた状態に変化し、また下方に移動したキーキャップ４２１は弾性要素４２３を抑圧し、弾性要素４２３を薄膜スイッチ回路４４に接触させ、これにより上部プリント基板４４１の上部接続点４４１１と下部プリント基板４４３の下部接続点４４３１は電気的に接続されキー４２に対応するキー信号を発生させる。キー４２が触圧から解放された時、弾性要素４２３はキーキャップ４２１に対し弾力を発生させ、キーキャップ４２１を透光フレーム４１に対向させ上方に移動させ、また第一フレーム４２２１と第二フレーム４２２２を折り畳まれた状態から開いた状態に変化させキーキャップ４２１を復位させる。
【００２７】
光源４３がビームＢ’を発生させる時、ビームＢ’の一部分は下方へ投射され透光フレーム４１に進入し、透光フレーム４１内部を進行し、次にビームＢ’は透光フレーム３１を透過し導光フィルム４５内部を進行し、導光フィルム４５を透過したビームＢ’は支持板４０により反射され進行方向を変更させられ、ビームＢ’は導光フィルム４５と透光フレーム４１を透過し薄膜スイッチ回路４４に進入する。ビームＢ’は薄膜スイッチ回路４４と弾性要素４２３を透過しキーキャップ４２１に投射され、ビームＢ’はキーキャップ４２１上の透光エリア４２１１に透過され、これにより発光キーボード４は発光が可能となる。導光フィルム４５を透過せず、また支持板４０にも反射されていないビームＢ’は導光フィルム４５により案内されその他のキー４２の下方の透光フレーム４１に拡散される。上記のとおり、導光フィルム４５による除去によりビームＢ’が案内される状況下では、透光フレーム４１と薄膜スイッチ回路４４の間に位置する光源４３の発生するビームＢ’の進行経路は順に下方に向かい透光フレーム４１へ進入し、さらに下方に向かい導光フィルム４５へ進入し、支持板４０により反射され、上方に向かい導光フィルム４５へ進入し、さらに上方に向かい透光フレーム４１と、薄膜スイッチ回路４４及びキー４２の透光エリア４２１１へと進入する。
【００２８】
本発明の好ましい実施形態において、透光フレーム４１と支持板４０の間にさらに設置される導光フィルム４５は、光源４３の発生するビームＢ’をその他のキー４２の下方の透光フレーム４１に拡散させ、さらに光量の明度を均一化させる。
【００２９】
上記のとおり各好ましい実施形態では、本発明における発光キーボードの透光フレームは従来の金属底板と相当の機能を有しはさみ型接合部材と接続しキーと透光フレーム（或いは従来の金属底板）の結合を確立させ、また透光フレームは透明素材により製造され、光源は透光フレームの上方或いは下方に設置され、ビームを透光フレームの下方或いは上方へと透過させ従来の金属底板に遮蔽させず、これによりキーキャップを透過したビームは明度は高めることが可能になり、またビームが部分的に従来の金属底板により遮蔽され光量の明度が不均一になる現象を回避できる。これ以外に、発光キーボードの堅固性を高めるため、本発明における発光キーボードの透光フレームの下方には支持板が設置され、発光キーボードの構造を強化し容易に折れ曲がり損壊しないようにしている。
【００３０】
上述の実施形態は本発明の技術思想及び特徴を説明するためのものにすぎず、当前記技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００３１】
１、２、３、４  キーボード    
１０  標準タイプキー    
１１  テンキー    
１２  ファンクションキー    
２０、３２、４２  キー    
２１  金属底板    
２２、３４、４４  薄膜スイッチ回路    
２３、３３、４３  光源    
２４  導光板    
２５  フレキシブルプリント基板    
３０、４０  支持板    
３１、４１  透光フレーム    
４５  導光フィルム    
２０１、３２１、４２１  キーキャップ    
２０２、３２２、４２２  はさみ型接合部材    
２０３、３２３、４２３  弾性要素    
２１１  第一固定構造    
２１２  第二固定構造    
２１３  空洞部    
３１１、４１１  第一フレーム固定構造    
３１２、４１２  第二フレーム固定構造    
３４１、４４１  上部プリント基板    
３４２、４４２  隔離層    
３４３、４４３  下部プリント基板    
２０１１、３２１２、４２１２  第一キーキャップ固定構造    
２０１２、３２１３、４２１３  第二キーキャップ固定構造    
２０２１、３２２１、４２２１  第一フレーム    
２０２２、３２２２、４２２２  第二フレーム    
３２１１、４２１１  透光エリア    
３４１１、４４１１  上部接続点    
３４２１、４４２１  隔離層開口部    
３４３１、４４３１  下部接続点    
２０２１Ａ、３２２１Ａ  第一フレームの第一端    
２０２１Ｂ、３２２１Ｂ  第一フレームの第二端    
２０２２Ａ、３２２２Ａ  第二フレームの第一端    
２０２２Ｂ、３２２２Ｂ  第二フレームの第二端    
Ｂ、Ｂ’ビーム    
【図１】
2012079278.tif 000003
【図２】
2012079278.tif 000004
【図３】
2012079278.tif 000005
【図４】
2012079278.tif 000006
【図５】
2012079278.tif 000007
【図６】
2012079278.tif 000008
【図７】
2012079278.tif 000009